(57)【特許請求の範囲】
【請求項１】
下面が下方に向かって凸面となる曲面を有し、少なくともコバ面を有するレンズの墨塗り対象面であるコバ面に墨塗りを行うレンズ墨塗り装置において前記墨塗り時に前記レンズの前記曲面を保持するレンズ墨塗り装置用レンズホルダーであって、
上端が最も薄肉となる杯状に成形されるとともに前記杯状部の下部に空気吸引用開口を有し、上端の開口が少なくとも前記曲面よりも小さく形成され且つ前記杯状部の内表面は、前記レンズのの凸曲面の中央部を含む部分を収容可能な凹曲面をなすように形成され、前記空気吸引用開口からの空気の吸引により前記杯状部の上端縁付近の内表面で前記レンズの前記曲面を面接触により吸着保持させ、前記杯状部の下端付近がホルダー支持軸の先端に装着されて回転駆動され、前記レンズを回転させながら前記墨塗りが可能に構成されること
を特徴とするレンズ墨塗り装置用レンズホルダー。
【請求項２】
請求項１記載のレンズ墨塗り装置用レンズホルダーにおいて、
前記凹曲面は、凹円錐面であること
を特徴とするレンズ墨塗り装置用レンズホルダー。
【請求項３】
請求項１記載のレンズ墨塗り装置用レンズホルダーにおいて、
前記レンズの下面は、前記レンズの凸曲面の外縁に接続する凸円錐面であるとともに前記墨塗りが行われる墨塗り面を有し、かつ、前記杯状部の外表面は凸曲面状に形成され、
前記杯状部の上端縁付近の外表面の傾斜角度は、前記凸円錐面となる墨塗り面の傾斜角度よりも小さな値に設定されること
を特徴とするレンズ墨塗り装置用レンズホルダー。
【請求項４】
請求項１記載のレンズ墨塗り装置用レンズホルダーにおいて、
前記レンズを面接触により吸着保持する部分は、合成樹脂材料により形成されていること
を特徴とするレンズ墨塗り装置用レンズホルダー。
【請求項５】
下面が下方に向かって凸面となる曲面を有し、少なくともコバ面を有するレンズの墨塗り対象面であるコバ面に墨塗りを行うレンズ墨塗り装置における、前記墨塗り時に前記レンズを保持するレンズ墨塗り装置のレンズ保持方法であって、
上端が最も薄肉となる杯状に成形されるとともに前記杯状部の下部に空気吸引用開口を有し、上端の開口が少なくとも前記曲面よりも小さく形成され且つ前記杯状部の内表面は、前記レンズの凸曲面の中央部を含む部分を収容可能な凹曲面をなすように形成されたレンズ墨塗り装置用レンズホルダーを用い、前記空気吸引用開口からの空気の吸引により前記杯状部の上端縁付近の内表面で前記レンズを面接触により吸着保持させ、前記杯状部の下端付近をホルダー支持軸の先端に装着し回転駆動し、前記レンズを回転させながら前記墨塗りを行うこと
を特徴とするレンズ墨塗り装置のレンズ保持方法。
【発明の詳細な説明】
【０００１】
【発明の属する技術分野】
本発明は、レンズのコバ面等に墨塗りを行う時にレンズを保持するためのレンズ墨塗り装置用レンズホルダー、及びこのレンズ墨塗り装置用レンズホルダーを用いてレンズを保持する方法に関するものである。
【０００２】
【従来の技術】
レンズを用いた光学機器、例えば、図６（Ａ）に示すような鏡筒５０においては、レンズＬ４に入る通常の光線Ｗ１以外に、レンズＬ４の側面で反射して入光する光線Ｗ２は、ゴーストやフレア等の発生の原因となり、本来の光学機器の機能を阻害する不要な光線であり、これを防止する必要がある。
【０００３】
このため、従来は、図６（Ｂ）に示すようにしてレンズＬ４を保持し、レンズＬ４の側面であるコバ面Ｓ１２に、筆等を用いて反射防止用の塗料、例えば黒色つや消し塗料等を塗布していた。この作業を、以下、「墨塗り」という。
【０００４】
この場合には、図６（Ｂ）に示すように、墨塗り時に、レンズホルダー６１を用いてレンズＬ４を保持している。レンズホルダー６１は、テーパー筒部６２と、平板部６３と、直筒部６４を有しており、直筒部６４には、空気吸引用開口６５が設けられている。
【０００５】
レンズＬ４を保持する場合には、直筒部６４に真空ポンプ等を接続し、空気を吸引する。これにより、負圧が発生し、レンズＬ４は、レンズホルダー６１に吸着されて保持される。この状態で、直筒部６４を回転駆動させ、レンズＬ４のコバ面Ｓ１２に筆等を当接することにより、コバ面Ｓ１２の墨塗りを行っていた。
【０００６】
【発明が解決しようとする課題】
しかしながら、上記した従来のレンズホルダー６１では、テーパー筒部６２の上端縁６６とレンズＬ４のレンズ面Ｓ１１は、円曲線の線接触状態で接触している。このため、墨塗りが完了したレンズＬ４の面のうち、吸着保持されたレンズ面Ｓ１１には、上端縁６６の位置にリング状の接触痕が付いてしまう、という問題があった。
【０００７】
また、図７（Ａ）に示すように、墨塗りの対象となるレンズの中には、レンズ面Ｓ１３及びＳ１７と、コバ面Ｓ１５のほか、面取り面Ｓ１４及びＳ１６を有するレンズＬ５もある。このようなレンズＬ５において、コバ面Ｓ１５だけでなく、面取り面Ｓ１４やＳ１６に墨塗りを行う場合には、図７（Ｂ）に示すように、筆８０を用い、その腹部となる塗布部８１を対象となるレンズ面（例えば面取り面Ｓ１４）に当接させていた。しかし、上記したレンズホルダー６１によりレンズＬ５を保持している場合には、筆８０の先端部８２がテーパー筒部６２の外側面と干渉してしまい、墨塗り作業が困難になる、という問題があった。
【０００８】
本発明は上記した問題を解決するためになされたものであり、本発明の解決しようとする課題は、墨塗り作業におけるレンズ保持時に作業が容易でかつ接触痕が生じないレンズ墨塗り装置用レンズホルダー、及びレンズ墨塗り装置のレンズ保持方法を提供することにある。
【０００９】
【課題を解決するための手段】
上記課題を解決するため、本発明に係るレンズ墨塗り装置用レンズホルダーは、
下面が下方に向かって凸面となる曲面を有し、少なくともコバ面を有するレンズの墨塗り対象面であるコバ面に墨塗りを行うレンズ墨塗り装置において前記墨塗り時に前記レンズの前記曲面を保持するレンズ墨塗り装置用レンズホルダーであって、
上端が最も薄肉となる杯状に成形されるとともに前記杯状部の下部に空気吸引用開口を有し、上端の開口が少なくとも前記曲面よりも小さく形成され且つ前記杯状部の内表面は、前記レンズのの凸曲面の中央部を含む部分を収容可能な凹曲面をなすように形成され、前記空気吸引用開口からの空気の吸引により前記杯状部の上端縁付近の内表面で前記レンズの前記曲面を面接触により吸着保持させ、前記杯状部の下端付近がホルダー支持軸の先端に装着されて回転駆動され、前記レンズを回転させながら前記墨塗りが可能に構成されること
を特徴とする。
【００１１】
また、上記したレンズ墨塗り装置用レンズホルダーにおいて、好ましくは、前記凹曲面は、凹円錐面である。
【００１２】
また、上記したレンズ墨塗り装置用レンズホルダーにおいて、好ましくは、
前記レンズの下面は、前記レンズの凸曲面の外縁に接続する凸円錐面であるとともに前記墨塗りが行われる墨塗り面を有し、かつ、前記杯状部の外表面は凸曲面状に形成され、
前記杯状部の上端縁付近の外表面の傾斜角度は、前記凸円錐面となる墨塗り面の傾斜角度よりも小さな値に設定される。
【００１３】
また、上記したレンズ墨塗り装置用レンズホルダーにおいて、好ましくは、前記レンズを面接触により吸着保持する部分は、合成樹脂材料により形成されている。
【００１４】
また、本発明に係るレンズ墨塗り装置のレンズ保持方法は、
下面が下方に向かって凸面となる曲面を有し、少なくともコバ面を有するレンズの墨塗り対象面であるコバ面に墨塗りを行うレンズ墨塗り装置における、前記墨塗り時に前記レンズを保持するレンズ墨塗り装置のレンズ保持方法であって、
上端が最も薄肉となる杯状に成形されるとともに前記杯状部の下部に空気吸引用開口を有し、上端の開口が少なくとも前記曲面よりも小さく形成され且つ前記杯状部の内表面は、前記レンズの凸曲面の中央部を含む部分を収容可能な凹曲面をなすように形成されたレンズ墨塗り装置用レンズホルダーを用い、前記空気吸引用開口からの空気の吸引により前記杯状部の上端縁付近の内表面で前記レンズを面接触により吸着保持させ、前記杯状部の下端付近をホルダー支持軸の先端に装着し回転駆動し、前記レンズを回転させながら前記墨塗りを行うこと
を特徴とする。
【００１５】
【発明の実施の形態】
以下、本発明の実施形態について、図面を参照しながら詳細に説明する。図１は、本発明の一実施形態であるレンズ墨塗り装置用レンズホルダーの構成を示す図である。
【００１６】
図１（Ａ）に示すように、このレンズ墨塗り装置用レンズホルダー１は、合成樹脂材料からなり、杯状部２の下部に空気吸引用開口５が形成された形状を有している。
【００１７】
杯状部２は、上部に配置されたコーン状部３と、コーン状部３の下方に接続する直筒部４を有している。コーン状部３は、円錐台形の内部に、同軸の円錐台形の内部空間９を有する部分である。コーン状部３は、上部と下部の両方が開口するとともに、上部開口の内径の方が下部開口の内径よりも大きくなっており、一種の筒状となっている。
【００１８】
また、コーン状部３の外表面８は、外側に凸となる円錐面（以下、「凸円錐面」という。）の形状に形成されている。また、コーン状部３の内表面７は、凹んだ円錐面（以下、「凹円錐面」という。）の形状に形成されている。そして、コーン状部３の外表面８の傾斜角度（水平面を基準とした場合の角度）は、コーン状部３の内表面７の傾斜角度（水平面を基準とした場合の角度）よりも大きくなっている。このため、コーン状部３の肉厚は、下部から上部へ向かうにつれて減少しており、コーン状部３の上端縁６では最も薄肉となっている。
【００１９】
また、直筒部４は、円柱の内部に、同軸の円柱形の内部空間を有する部分である。この直筒部４の内部空間は、上記したコーン状部３の内部空間９の下部の開口で連通している。また、直筒部４の下端の開口が、空気吸引用開口５となっている。
【００２０】
図１（Ｂ）は、レンズＬ１の墨塗り時に、上記したレンズ墨塗り装置用レンズホルダー１の上にレンズＬ１を載置した状態（吸引前の状態）を示した図である。図１（Ｂ）に示すように、レンズＬ１の下面であるレンズ面Ｓ１は下方に向かって凸となる曲面、例えば球面となっている。
【００２１】
また、杯状部２のコーン状部３の内表面７は、上記したように凹円錐面となっているから、この状態では、レンズＬ１のレンズ面Ｓ１の凸曲面の中央部を含む部分は、内表面７によって収容された状態となっている。
【００２２】
この場合、直筒部４には、パイプ等（図示せず）を介して真空ポンプ等（図示せず）が接続される。次に、上記の状態で、図示しない真空ポンプ等を作動させ、空気を吸引する。これにより、負圧が発生し、レンズＬ１は、レンズ墨塗り装置用レンズホルダー１に吸着されて保持される。
【００２３】
図２は、上記のようにして、レンズＬ１がレンズ墨塗り装置用レンズホルダー１によって吸着保持されている場合の上端縁６の近傍の状態を示す拡大図である。
【００２４】
杯状部２の上部を構成するコーン状部３は、合成樹脂材料で形成されている。このため、ある程度の弾性を有している。したがって、図１（Ｂ）の状態で空気吸引が行われ、コーン状部３の内部空間９が負圧になると、上端縁６付近の内表面７の部分、すなわち、図２においてＰ１で示す部分は、負圧の影響を受け、レンズＬ１の表面に接近するように弾性変形する。これにより、コーン状部３の内表面７のうち、領域Ｐ１の部分は、レンズＬ１の表面Ｓ１に密着する。
【００２５】
したがって、レンズＬ１は、レンズ墨塗り装置用レンズホルダー１の領域Ｐ１によって面接触で吸引保持されることになる。このため、接触面積が大きくなるので、保持される部分に作用する保持力（圧力）は、線接触状態で保持する従来の場合よりも小さくなる。接触痕は、負圧による吸着保持に伴い、レンズホルダーの接触部にあった汚れ等が、レンズ表面に付着又は転写されることにより発生すると考えられるが、本実施形態のレンズ墨塗り装置用レンズホルダー１によれば、レンズホルダーとレンズの接触部分の圧力が低減されるので、従来のような接触痕は発生しない。
【００２６】
また、図３に示すように、レンズ面Ｓ３及びＳ７と、コバ面Ｓ５と、面取り面Ｓ４及びＳ６を有するレンズＬ２の場合にも、本実施形態のレンズ墨塗り装置用レンズホルダー１は有効である。この場合、面取り面Ｓ４は、レンズＬ２の凸曲面Ｓ３の外縁に接続する凸円錐面となっている。また、面取り面Ｓ４は、特許請求の範囲における墨塗り面に相当している。
【００２７】
上記のレンズＬ２において、コバ面Ｓ５だけでなく、面取り面Ｓ４に墨塗りを行う場合には、筆８０を用い、その腹部となる塗布部８１を面取り面Ｓ４に当接させる。
【００２８】
この場合、コーン状部３の上端縁６の付近の外表面８の傾斜角度θ１を、面取り面Ｓ４の傾斜角度θ２よりも小さな値に設定しておけば、レンズＬ２の吸着保持時に、筆８０の先端部８２がレンズ墨塗り装置用レンズホルダー１のいずれの部分とも干渉することはなく、墨塗り作業の支障となることはない。
【００２９】
図４は、上記したレンズ墨塗り装置用レンズホルダー１を用いたレンズ墨塗り装置１００の構成例を示す図である。図４に示すように、このレンズ墨塗り装置１００においては、回転台１０１の上にホルダー支持軸１０２が複数個配置されている。回転台１０１には、ベルト１０４が取り付けられており、ベルト１０４は、図示しない回転駆動源によって回転されるプーリー１０３によって駆動される。回転駆動源としては、電動モータ（図示せず）等が用いられる。このような構成により、回転台１０１は、台軸１０５の周りに回転駆動される。
【００３０】
また、ホルダー支持軸１０２には、連通用開口１０２ａが設けられており、連通用開口１０２ａは、パイプ等（図示せず）を介して真空ポンプ等（図示せず）が接続されている。また、ホルダー支持軸１０２自体も回転可能な構造となっており、上記したベルト１０４の駆動によって回転するようになっている。
【００３１】
このような構成により、レンズ墨塗り装置１００のホルダー支持軸１０２の先端にレンズ墨塗り装置用レンズホルダー１を装着すると、レンズ墨塗り装置用レンズホルダー１の空気吸引用開口５と、ホルダー支持軸１０２の連通用開口１０２ａが連通するようになっている。
【００３２】
レンズＬ３のコバ面Ｓ８に墨塗りを行う場合には、真空ポンプ等（図示せず）により空気を吸引する。これにより、負圧が発生し、レンズＬ３は、レンズ墨塗り装置用レンズホルダー１に吸着されて保持される。この状態で、プーリー１０３を回転駆動させると、回転台１０１が回転するとともに、回転台１０１の上の各ホルダー支持軸１０２が回転し、各レンズＬ３が回転する。この状態で、レンズＬ３のコバ面Ｓ８筆等（図示せず）を当接することにより、図４で符号Ｂで示したように、コバ面Ｓ８に墨塗りを行うことができる。
【００３３】
図５は、上記したレンズ墨塗り装置用レンズホルダー１、あるいはレンズ墨塗り装置１００を用いて作業者が人力で行うレンズ墨塗り作業に適用可能なレンズ墨塗り器２００の構成例を示す図である。図５に示すように、このレンズ墨塗り器２００においては、基台２０１の上に支柱２０２が立設され、支柱２０２に取付金具２０３が取り付けられている。取付金具２０３は、梁状又は棒状の金具本体部２０３ａの一端側にクランプ部２０３ｂが接続しており、このクランプ部２０３ｂは、バネや締結ネジの締付力を利用して支柱２０２にスライド可能に固定されるようになっている。
【００３４】
また、取付金具２０３の金具本体部２０３ａの他端側には、環状のタンク保持部２０３ｃが接続しており、このタンク保持部２０３ｃにより、塗料タンク２０４が保持されるようになっている。塗料タンク２０４は、略筒状のタンク本体部２０４ａを有し、この中に液体状の黒色塗料（墨）３００が貯留可能となっている。タンク本体部２０４ａの下部は、徐々に内径が小さくなる漏斗部２０４ｂとなっており、漏斗部２０４ｂの下端には、排出口２０４ｃが接続している。
【００３５】
排出口２０４ｃには、可撓パイプ２０５の一端が嵌め込まれている。可撓パイプ２０５は、ゴム系材料等からなり、管状に形成された部材である。ゴム系材料には、天然ゴム、合成ゴム等が含まれる。可撓パイプ２０５の多端は、把持軸２０６の一端（図５における上端）に嵌め込まれている。把持軸２０６は、合成樹脂材料や金属材料等からなる略筒状の部材であり、把持軸２０６の内部の空間は、可撓パイプ２０５の内部空間と連通するようになっている。
【００３６】
また、把持軸２０６の他端（図５における下端）には、筆状部２０７が接続している。筆状部２０７は、フェルトやスポンジのような液体を含浸しやすい材料からなり、筆のような略紡錘形に形成されている。
【００３７】
このような構成により、レンズ墨塗り作業の作業者（図示せず）が、レンズ墨塗り器２００の把持軸２０６を手及び指で把持し、クランプ部２０３ｂを鉛直上下方向のいずれかへスライドさせて、塗料タンク２０４と筆状部２０７との高さ位置（高低差）を調整することにより、黒色塗料３００の筆状部２０７からのしみ出し量を調整する。すなわち、筆状部２０７の高さ位置を、塗料タンク２０４内の塗料３００の液面位置よりも低くなるように保持すれば、液体である塗料３００の高低差に伴う圧力により、塗料タンク２０４内の黒色塗料３００は、可撓パイプ２０５及び把持軸２０６の内部空間を通って筆状部２０７に到達し、黒色塗料３００が筆状部２０７の外部へしみ出してくる。筆状部２０７の高さ位置をさらに低くすれば、黒色塗料３００が筆状部２０７からしみ出す黒色塗料３００の程度（しみ出し量、その速度等）は増大する。逆に、筆状部２０７の高さ位置を上記位置よりも高くすれば、黒色塗料３００が筆状部２０７からしみ出す黒色塗料３００の程度（しみ出し量、その速度等）は減少する。
【００３８】
レンズ墨塗り作業者は、把持軸２０６を把持し、塗料タンク２０４、又は筆状部２０７、若しくは両者の高さ位置を適宜に調整することにより両者の間の高低差を適宜に設定し、しみ出す黒色塗料３００の量・速度などを調整し、上記したレンズホルダー１に保持されたレンズ（図示せず）のコバ面（図示せず）に筆状部２０７の側部等を当接させ、これにより、レンズコバ面に墨塗りを行うことができる。
【００３９】
なお、本発明は、上記実施形態に限定されるものではない。上記実施形態は、例示であり、本発明の特許請求の範囲に記載された技術的思想と実質的に同一な構成を有し、同様な作用効果を奏するものは、いかなるものであっても本発明の技術的範囲に包含される。
【００４０】
例えば、上記実施形態においては、レンズ墨塗り装置用レンズホルダーによって保持されるレンズとして、図１（Ｂ）に示す片凸レンズＬ１、図３に示す面取り面を有する両凸レンズＬ２を例に挙げて説明したが、本発明はこれには限定されず、他の構成のレンズ、例えば、面取り面を有しない両凸レンズ、一面が凸面で他面が凹面のレンズなどであってもよい。要は、少なくとも一面が凸面であれば、どのようなレンズであってもよいのである。
【００４１】
また、上記実施形態においては、レンズ墨塗り装置用レンズホルダーの杯状部の内表面（例えば７）が、凹円錐面に形成された例について説明したが、本発明はこれには限定されず、他の構成の内表面、例えば、レンズの凸曲面の中央部を含む部分を収容可能でかつレンズの下面の外縁部付近と面接触可能な凹んだ曲面（凹曲面）であれば、どのような凹曲面であってもよく、凹んだ球面などであってもよい。
【００４２】
また、上記実施形態においては、レンズ墨塗り装置用レンズホルダーの杯状部の外表面（例えば８）が、凸円錐面に形成された例について説明したが、本発明はこれには限定されず、他の構成の外表面、例えば、外に向かって凸な球面などであってもよい。
【００４３】
また、上記実施形態においては、レンズ墨塗り装置用レンズホルダーとして、図１に示すように上端が最も薄肉となる杯状に成形されるとともに、図３に示すように杯状部の上端縁付近の外表面の傾斜角度が、凸円錐面となる墨塗り面の傾斜角度よりも小さな値に設定される例について説明したが、本発明はこれには限定されず、他の構成のレンズ墨塗り装置用レンズホルダー、例えば、図１に示すように上端が最も薄肉となる杯状に成形されただけの構成であってもよい。このような構成によっても、接触痕を生じないという本発明の効果は達成可能である。
【００４４】
【発明の効果】
以上説明したように、本発明によれば、上端が最も薄肉となる杯状に成形されるとともに杯状部の下部に空気吸引用開口を有するように構成されたので、空気吸引用開口からの空気の吸引により杯状部の上端縁付近の内表面でレンズを面接触により吸着保持させ、杯状部の下端付近がホルダー支持軸の先端に装着されて回転駆動され、レンズを回転させながら墨塗りが可能であり、接触痕が生じない、という利点を有している。
【００４５】
また、上記のレンズ墨塗り装置用レンズホルダーにおいて、杯状部の上端縁付近の外表面の傾斜角度を、凸円錐面となる墨塗り面の傾斜角度よりも小さな値に設定することにより、墨塗り時に筆と干渉せず、容易に墨塗りを行うことができる、という利点も有している。
【図面の簡単な説明】
【図１】本発明の一実施形態であるレンズ墨塗り装置用レンズホルダーの構成を示す図である。
【図２】図１に示すレンズ墨塗り装置用レンズホルダーの作用を示す第１の図である。
【図３】図１に示すレンズ墨塗り装置用レンズホルダーの作用を示す第２の図である。
【図４】図１に示すレンズ墨塗り装置用レンズホルダーを用いたレンズ墨塗り装置の構成例を示す図である。
【図５】図１に示すレンズ墨塗り装置用レンズホルダー等を用いて行うレンズ墨塗り作業に適用可能な墨塗り器の構成例を示す図である。
【図６】従来のレンズにおける墨塗りについて説明する第１の図である。
【図７】従来のレンズにおける墨塗りについて説明する第２の図である。
【符号の説明】
１  レンズ墨塗り装置用レンズホルダー
２  杯状部
３  コーン状部
４  直筒部
５  空気吸引用開口
６  上端縁
７  内表面
８  外表面
９  内部空間
５０  鏡筒
６１  レンズホルダー
６２  テーパー筒部
６３  平板部
６４  直筒部
６５  空気吸引用開口
６６  上端縁
８０  筆
８１  塗布部
８２  先端部
１００  レンズ墨塗り装置
１０１  回転台
１０２  ホルダー支持軸
１０２ａ  連通用開口
１０３  プーリー
１０４  ベルト
１０５  台軸
２００  レンズ墨塗り器
２０１  基台
２０２  支柱
２０３  取付金具
２０３ａ  金具本体部
２０３ｂ  クランプ部
２０３ｃ  タンク保持部
２０４  塗料タンク
２０４ａ  タンク本体部
２０４ｂ  漏斗部
２０４ｃ  排出口
２０５  可撓パイプ
２０６  把持軸
２０７  筆状部
３００  黒色塗料
Ｂ  墨塗り済み面
Ｌ１〜Ｌ５  レンズ
Ｐ１  面接触領域
Ｓ１  レンズ面
Ｓ２  コバ面
Ｓ３  レンズ面
Ｓ４  面取り面
Ｓ５  コバ面
Ｓ６  面取り面
Ｓ７  レンズ面
Ｓ８  コバ面
Ｓ１１  レンズ面
Ｓ１２  コバ面
Ｓ１３  レンズ面
Ｓ１４  面取り面
Ｓ１５  コバ面
Ｓ１６  面取り面
Ｓ１７  レンズ面
Ｗ１、Ｗ２  光線
θ１  杯状部外表面上端縁付近の傾斜角度
θ２  面取り面の傾斜角度
【図１】
0003880045.tif 000002
【図２】
0003880045.tif 000003
【図３】
0003880045.tif 000004
【図４】
0003880045.tif 000005
【図５】
0003880045.tif 000006
【図６】
0003880045.tif 000007
【図７】
0003880045.tif 000008